(57)【要約】      （修正有）【課題】高い発熱や熱中症などの時に、首に巻くことにより、頚動脈や椎骨動脈を流れる血液を低温にして、高温に弱い脳を護るための頚部冷却具です。【解決手段】耐水性のある柔らかな合成樹脂シートを熱溶着した、首に巻ける長さと幅の袋１にゲル状の冷却剤２を充填し、複数箇所に仕切り３を熱溶着することにより小部屋を連接した頚部冷却具です。ゲル状の冷却剤２を複数の小部屋に分けることで、凍っていても仕切り部分で頚部冷却具が折れ曲がるので、凍結したまま首に巻くことができますし、ゲル剤が片寄って凍るのを防ぎます。脳低温療法の簡易法として緊急時でも首に巻いて、医療機関に搬送すれば病状をより軽くするのに役立ちます。【選択図】図１
0003119880.tif 000002
【実用新案登録請求の範囲】
【請求項１】
耐水性のある柔らかな合成樹脂シートを用いた、首に巻ける長さと幅の袋１にゲル状の冷却剤２を充填し、複数箇所に仕切り３を入れることにより、小部屋を連接したもので、凍っていても仕切り部分で折れ曲がるので、全く解凍せずに首に巻くことができるのが特徴の頚部冷却具です。
【考案の詳細な説明】
【技術分野】
【０００１】本考案は熱中症や高い発熱、脳梗塞、脳内出血などの時に使用する頚部冷却具です。高温になっている血液の温度を低くして、人命を救う脳低温療法の簡易法です。首に巻ける長さと幅で、凍ったまま首に巻けるように複数箇所に仕切りを入れた冷却具に関するものです。
【背景技術】
【０００２】１９９７年２月２日のＮＨＫスペシャル「柳田邦男の生と死を見つめて、低体温療法の衝撃」では、「脳細胞は高熱に弱い、病気をより重篤にするのは、脳細胞が高温状態に長時間置かれる為であると」言われていました。【０００３】１９９７年５月、私は湯あたりを起こしました。〈湯あたりとは長湯の為に体温が上昇し、その温まった血液が脳内にも入り、脳細胞の耐えられる温度を上回った為に起こる症状ではないか。全身を冷やすことによって低温の血液を脳に入れるのであれば、首を冷やしても脳内血液の温度が下げられるのではないか〉と言う事を上記の報道から学んだので、タオルを水で濡らして、首に巻きました。即、気分が良くなりました。【０００４】従来、高熱時には後頭部を氷枕、額を氷嚢で冷やしてきました。しかし頭は断熱性の高い頭蓋骨で覆われていることもあり、当たっている部分の表層だけが冷えます。生命活動をつかさどる脳の深部も冷えません。そのために多くの命が失われたり、脳に障害を残し、重大な結果を招いてきました。【０００５】前述の体験から全身を冷やさなくても、首を冷やせば頭部に行く血液を冷やせるので、凍ったまま首に巻けるものを探しました。しかし現在市販されている高熱時に使用する物のサイズは２５ｃｍ×１８ｃｍ又は２０ｃｍ×８ｃｍと水枕、氷嚢です。これらは後頭部や額を冷やす大きさであり、巻いて首を冷やすことができません。【０００６】医療機関で行われている低体温療法は脳に行く血液を低い温度にするために、全身を冷やします。それで高温による脳の破壊を防ぎます。低体温療法では全身を冷やすために、通常の体温を保とうとして体は震えます。低体温に保つために不整脈がおこり、免疫力が低下し肺炎などが起き易くなりますので、医師の管理下でのみ行われている療法です。（参照「低体温療法」へるす出版、「脳低温療法」岩波科学ライブラリー７６岩波書店出版）【０００７】またより安全な低体温療法への開発として、２００２年４月５日、日本経済新聞には、「日機装（株）と大阪医科大学で脳低温療法の装置が開発され、２００５年めどに実用化を狙う。首の頚動脈で細い管を挿入し、先から５〜１０℃まで冷したリンゲル液を脳に送り込む。脳の温度を下げたら首の頚静脈に挿入した管から血液と一緒に体外に排出する。脳から体外に出した血液はろ過器で処理し、温めてから体内に戻す。体温を下げないので、心臓の働きや免疫機能を保持できる。また低体温療法の副作用である肺炎や不整脈などが併発する確率を下げる事が出来ると、研究グループはみている」という記事がありました。【０００８】簡易な方法として、私は高い発熱や熱中症、脳梗塞、脳内出血など緊急時に備えて、浴用タオルを首に巻ける長さと幅にたたんで凍らせています。しかし固まっているので、だいぶ解凍しないと首に巻くことができません。緊急時に解凍している時間と失われる氷温が惜しいです。【０００９】首を冷やすものとして特許文献１がありますが、これは炎天下や高温の場所などで、水に濡らし、首に巻くことにより、首を冷やし暑さを軽減させるものです。高熱時に使用するために凍らせると、固まってしまうので前述の凍らせたタオルと同様になってしまいます。【００１０】
【特許文献１】登録実用新案第３０１９８３１号
【考案の開示】
【考案が解決しようとする課題】
【００１１】従来、高熱時には後頭部を氷枕、額を氷嚢で冷やしてきました。しかし頭は断熱性の高い頭蓋骨で覆われていることもあり、生命活動をつかさどる脳の深部までは冷えません。そのために多くの命が失われたり、脳に障害を残し、重大な結果を招きました。【００１２】現在市販されている高熱時に使用する物のサイズは２５ｃｍ×１８ｃｍ又は２０ｃｍ×８ｃｍ等で、後頭部や額を冷やす大きさです。巻いて首を冷やすことができません。【００１３】高熱時に凍った物を首に巻くと、首の皮膚そして筋肉の下を流れる頚動脈や椎骨動脈を冷やすことができます。頭部や胸部よりも細く、且つ骨で覆われていないので、直に冷温が伝わります。脳底に入っていった低温の血液は脳全体を潤し、温度を低くして、高温に弱い脳の破壊を防ぎます。【００１４】医療機関で行われている低体温療法は、全身を冷やすことにより脳に行く血液を低温にします。この方法は体全体が低温になるので、不整脈が出たり、免疫力が低下して肺炎になりやすいと医学書に書かれています。  設備が大掛かりな上に温度と病態管理がとても難しいので、医師の管理下でのみ行われる方法で、家庭ではできません。【００１５】簡易な方法として、タオルを首に巻ける長さと幅にたたんで凍らせてありますが、固まってしまうのでだいぶ解凍しないと首に巻くことができません。【００１６】高い発熱時や熱中症時には、少しでも早く脳に流入する血液の温度を低くし、高温に弱い脳を護る必要があります。一刻の猶予も許されないこの病状時に、家庭や学校で首に巻いてから病院に搬送すれば、結果を少しでも良いものにすることができます。
【課題を解決するための手段】
【００１７】本考案の頚部冷却具は前述の目的を達成するために下記の構成を備えます。
耐水性のある柔らかな合成樹脂シートを用い、上下を熱溶着して、首に巻ける長さと幅の袋１を作ります。中にゲル状の冷却剤２を入れ、複数の仕切り３を熱溶着して小部屋を作ります。ゲル状の冷却剤２を複数の小部屋に分けることで、凍っていても仕切り部分で折れ曲がるので、凍結したまま首に巻くことができますし、ゲル剤が片寄って凍るのを防ぎます。【００１８】高熱に弱い脳の温度を下げるには、首に凍ったものを巻き、頚動脈や椎骨動脈を流れる血液を冷やして、頭部に低温の血液を入れるのが効果的です。この頚部冷却具は簡易のものです。何時でも、どこでも、誰もが使用できるので、高熱などの緊急時でも巻いてから医療機関に搬送すると、病状を少しでも軽くできます。
【考案の効果】
【００１９】猛暑続きの７月末、マンションの最上階に住んでいる人が熱中症になりました。
冷蔵庫で冷やしたものをタオルに包んで首に巻いたら「気持ち良い」、１５分後、「吐き気が止まってきた」と言いました。その時点で顔に手を触れたらトテモ熱かったので凍ったタオルを少し解凍して、首に巻いたら「この方がもっと快い」、３０分経過、「頭が軽くなってきた」と言い、約１時間経過後にすっかりお元気になりました。【００２０】猛暑の中歩いて来た時に冷蔵庫で冷やしたものを首に巻くと、健康な人の場合、初めは「気持ち良い」と言うが、５分後くらいには「首がつらくなってきたから」とはずしてしまいます。【００２１】このように高熱時に凍ったものを巻きつけることで首が冷え、脳に入る血管である頚動脈、椎骨動脈を通る血液の温度も低下します。それで高温に弱い脳を護ります。また本頚部冷却具はゲル状の冷却剤が複数の小部屋に分かれているので、凍っていても仕切り部分で折れ曲がり、解凍しなくても凍ったまま首に巻くことが出来るのでとても便利です。
【考案を実施するための最良の形態】
【００２２】頚部冷却具は耐水性のある柔らかな合成樹脂シートを用い、上下を熱溶着して、首に巻ける長さと幅の袋１を作ります。中にゲル状の冷却剤２を入れ、複数の仕切り３を熱溶着して、連接した小部屋を作ります。ゲル状の冷却剤２を複数の小部屋に分けることで、凍っていても仕切り部分で折れ曲がるので、凍結したまま首に巻くことができますし、ゲル剤が片寄って凍るのを防ぎます。【００２３】頚部冷却具のサイズは長さ、４０ｃｍ〜５０ｃｍ、幅４ｃｍ〜６ｃｍ、厚み０．７ｃｍ〜１ｃｍ、仕切り５〜７箇所からなります。【００２４】使用時は頚部冷却具を浴用タオルなどで包んで首に巻き付けます。本品を冷凍しておけば、いつでも、誰でも、どこでも使えます。
【実施例】
【００２５】以下添付図面に従って実施例を説明します。１は首に巻ける長さと幅の耐水性のある合成樹脂シートからなる可撓性の袋で、この中にはゲル状の冷却剤２が充填され、複数個所に仕切り３を熱溶着し、連接した小部屋となっています。複数の小部屋に分けることで、凍っていても仕切り部分で折れ曲がるので、凍結したまま首に巻くことができますし、ゲル剤が片寄って凍るのを防ぎます。日頃から凍らせて置き、熱中症や高熱時、浴用タオル等に包んで首に巻きつけます。
【図面の簡単な説明】
【００２６】
【図１】本考案頚部冷却具の平面図です。
【図２】本考案頚部冷却具の側面図です。
【図３】本考案頚部冷却具の拡大断面図です。
【図４】本考案頚部冷却具の使用状態を示す図です。
【符号の説明】
【００２７】１  耐水性のある柔らかな合成樹脂シートを用いた、首に巻ける長さと幅の袋
２  ゲル状の冷却剤
３  熱溶着した仕切り
【図１】
0003119880.tif 000003
【図２】
0003119880.tif 000004
【図３】
0003119880.tif 000005
【図４】
0003119880.tif 000006